(57)【要約】【課題】分割のホルダ、分割カバーに対応する小型の押出し成形機等設備で対応でき、施工取付や輸送や持ち運びも楽なエキスパンションジョイント。【解決手段】間隙をおいて相対する建物２、３の間隙を覆うカバー材４を、一方の建物２、３に間隔をおいて設けたホルダ５に取付けるとともに、上記カバー材４を付勢手段によって傾動可能としたエキスパンションジョイントにおいて、上記ホルダ５は、複数の分割ホルダ５ａ、５ｂを上記間隙の幅方向に突合せて連継してなり、各分割ホルダ５ａ、５ｂを上記カバーに固定した。【選択図】　　　　図１
2004092187.tif 000002
【特許請求の範囲】
【請求項１】
間隙をおいて相対する建物の間隙を覆うカバー材を、一方の建物に間隔をおいて設けたホルダに取付けるとともに、上記カバー材を付勢手段によって傾動可能としたエキスパンションジョイントにおいて、　上記ホルダは、複数の分割ホルダを上記間隙の幅方向に突合せて連継してなり、各分割ホルダを上記カバーに固定した
ことを特徴とするエキスパンションジョイント。
【請求項２】
間隙をおいて相対する建物の間隙を覆うカバー材を、一方の建物に間隔をおいて設けたホルダに取付けるとともに、上記カバー材を付勢手段によって傾動可能としたエキスパンションジョイントにおいて、　前記ホルダ及びカバー材は、それぞれ複数の分割ホルダ及び分割カバーを上記間隙の幅方向に突合せて連継してなり、
各分割ホルダを上記分割カバーに固定した
ことを特徴とするエキスパンションジョイント。
【請求項３】
互いに連継される一方の分割ホルダの端部には係止部を形成し、他方の分割ホルダの端部には係止受け部を形成し、上記係止部と係止受け部とを係止させて固定して一体的に連継した、請求項１又は２に記載のエキスパンションジョイント。
【請求項４】
互いに連継する前記分割カバーは、一方の係止部を他方の係止受け部に斜めに係止した後に両分割カバーが面一になるように回動するとともに、両分割カバーを前記ホルダに固定した、請求項２記載のエキスパンションジョイント。
【請求項５】
前記各分割ホルダと分割カバーの連継部は互いに食い違い状に配置されている、請求項２に記載のエキスパンションジョイント。
【請求項６】
互いに連継する前記一方の分割カバーの端部には側方に開口する係止受け部を形成し、他方の分割カバーの端部には上記係止受け部に嵌合する嵌合縁を形成し、該嵌合縁を上記係止受け部に一体的に嵌着させた、請求項２記載のエキスパンションジョイント。
【請求項７】
間隙をおいて相対する建物の間隙を覆うカバー材を、一方の建物に間隔をおいて設けたホルダに取付けるとともに、上記カバー材を付勢手段によって傾動可能としたエキスパンションジョイントにおいて、　上記カバー材は複数のカバー材を長手方向に突合せて連継してなり、
カバー材の突合せ部の裏側にはジョイント部材を配置し、
上記ジョイント部材は、複数の分割ジョイントを上記間隙の幅方向に突合せて連継してなり、上記カバー材の背面に沿って配置した
ことを特徴とするエキスパンションジョイント。
【請求項８】
互いに連継する前記一方の分割ジョイントの端部には係止受け部を形成し、他方の分割カバーの端部には上記係止受け部に嵌合する嵌合縁を形成し、該嵌合縁を上記係止受け部に一体的に係着させた、請求項７記載のエキスパンションジョイント。
【請求項９】
前記カバーは、複数の分割カバーを前記建物間の間隙の幅方向に突合せて連継してなり、該分割カバーと前記分割ジョイントの連継部は互いに食い違い状に配置されている、請求項７記載のエキスパンションジョイント。
【請求項１０】
前記分割ホルダは、当接部と段部を設け、カバーの背面に前記当接部を当接させ、前記段部同志を連継する連携部を形成した請求項１〜９いずれかに記載のエキスパンションジョイント。
【請求項１１】
前記ホルダは、一方の建物に固定される固定部と、該固定部に回動可能に設けられた一方の分割ホルダと、該一方の分割ホルダに連継される他方の分割ホルダとから構成し、上記ホルダに３点支持の前記付勢手段を取りつけた、請求項１〜１０のいずれかに記載のエキスパンションジョイント。
【発明の詳細な説明】
【０００１】
【発明の属する技術分野】
本発明は、間隙をおいて相対する建物にその地震や地盤沈下等による変動を吸収し易い状態に装着して間隙の閉塞を良好に行なわせるエキスパンションジョイントに関する。
【０００２】
【従来の技術】
隣接する建物の間隙を建物の変動が吸収されるように閉塞させるエキスパンションジョイントにおいてバネ部材を用いるものは、特開平９−１１１８９３号及び特開２０００−２６５５７６号により知られていて、前者は一方の建物に長尺状の固定部材を取り付けて、この固定部材の突部のバネ支持部にバネ部材の一端を保持させ、バネ部材の他端をブラケットに係合させて、ブラケットを他方の建物へ接するように付勢させたものであり、後者は、一方の建物に固定した台座部材の固定部分にバネ部材の一端を固定し、他端をホルダに設けたスライド係合部に係合させて、ブラケットを他方の建物へ接するように付勢させたものであって、何れもバネ部材の使用により柔軟で確実な変動対応ができるようにしている。
【０００３】
しかしながら、バネ部材を一端固定の状態で使用すると可動の他端側しか機能しないため、バネの特性が充分に活かされず、建物の大きな変動に柔軟で確実に対応できず、しかも、無理な変動に伴うエキスパンションジョイントの作動により故障や部品の損傷を軽減すると言う目的を充分に果たし得ないものである。
【０００４】
そこで、間隙をおいて相対する建物の間隙を覆うカバー材を、一方の建物に間隔をおいて設けたホルダに取付けるとともに、上記カバー材を付勢手段によって傾動可能としたエキスパンションジョイントが提案されている（特願２００２−２２７９１９号参照）。
【０００５】
しかしながら、間隙をおいて相対する建物間の間隔が大きいときは、カバー材やカバー材を保持するホルダ、あるいはカバー材とカバー材とをジョイントするジョイント部材の幅も大きくなるから、成形に際しては大型の押出し成形機が必要となるほか、輸送や持ち運びが面倒であった。
【０００６】
【発明が解決しようとする課題】
本発明は従来の問題点を解消し、小型の押出し成形機で対応でき、輸送や持ち運びも楽なエキスパンションジョイントを提供することをその課題とする。
【０００７】
【課題を解決するための手段】
前記課題を解決するため、本発明に係るエキスパンションジョイントは、間隙をおいて相対する建物の間隙を覆うカバー材を、一方の建物に間隔をおいて設けたホルダに取付けるとともに、上記カバー材を付勢手段によって傾動可能としたエキスパンションジョイントにおいて、上記ホルダは、複数の分割ホルダを上記間隙の幅方向に突合せて連継してなり、各分割ホルダを上記カバーに固定した
ことを特徴とする。
【０００８】
また、本発明に係るエキスパンションジョイントは、間隙をおいて相対する建物の間隙を覆うカバー材を、一方の建物に間隔をおいて設けたホルダに取付けるとともに、上記カバー材を付勢手段によって傾動可能としたエキスパンションジョイントにおいて、前記ホルダ及びカバー材は、それぞれ複数の分割ホルダ及び分割カバーを上記間隙の幅方向に突合せて連継してなり、各分割ホルダを上記分割カバーに固定するように構成してもよい。
【０００９】
なお、互いに連継される一方の分割ホルダの端部には係止部を形成し、他方の分割ホルダの端部には係止受け部を形成し、上記係止部と係止受け部とを係止させて固定して一体的に連継するのが好ましい。
【００１０】
また、互いに連継する前記分割カバーは、一方の係止部を他方の係止受け部に斜めに係止した後に両分割カバーが面一になるように回動するとともに、両分割カバーを前記ホルダに固定するのがよい。
【００１１】
さらに、前記各分割ホルダと分割カバーの連継部は互いに食い違い状に配置するのがよい。
【００１２】
また、互いに連継する前記一方の分割カバーの端部には側方に開口する係止受け部を形成し、他方の分割カバーの端部には上記係止受け部に嵌合する嵌合縁を形成し、該嵌合縁を上記係止受け部に一体的に嵌着させるのがよい。
【００１３】
また、間隙をおいて相対する建物の間隙を覆うカバー材を、一方の建物に間隔をおいて設けたホルダに取付けるとともに、上記カバー材を付勢手段によって傾動可能としたエキスパンションジョイントにおいて、上記カバー材は複数のカバー材を長手方向に突合せて連継してなり、カバー材の突合せ部の裏側にはジョイント部材を配置し、上記ジョイント部材は、複数の分割ジョイントを上記間隙の幅方向に突合せて連継してなり、上記カバー材の背面に沿って配置した
ことを特徴とするエキスパンションジョイント。
【００１４】
さらに、互いに連継する前記一方の分割ジョイントの端部には係止受け部を形成し、他方の分割カバーの端部には上記係止受け部に嵌合する嵌合縁を形成し、該嵌合縁を上記係止受け部に一体的に係着させるようにするのが好ましい。
【００１５】
また、前記カバーは、複数の分割カバーを前記建物間の間隙の幅方向に突合せて連継してなり、該分割カバーと前記分割ジョイントの連継部は互いに食い違い状に配置するのがよい。
【００１６】
さらに、前記分割ホルダは、当接部と段部を設け、カバーの背面に前記当接部を当接させ、前記段部同志を連継する連携部を形成するのが望ましい。
【００１７】
前記ホルダは、一方の建物に固定される固定部と、該固定部に回動可能に設けられた一方の分割ホルダと、該一方の分割ホルダに連継される他方の分割ホルダとから構成し、上記ホルダに３点支持の前記付勢手段を取りつけるのがよい。
【００１８】
【発明の実施の形態】
以下に本発明に係るエキスパンションジョイントを図面に基づいて説明する。
【００１９】
図１において符号１で示すエキスパンションジョイントは、互いに相対する建物２、３間の間隙Ｓを覆うカバー材４を、一方の建物２に間隔をおいて設けたホルダ５に取付けるとともに、上記カバー材４をホルダ５に配設した付勢手段によって傾動可能に取りつけたものである。
【００２０】
ホルダ５は、図１及び図２に示すように基板を兼ねた支承部７ａの端部を上方に屈曲形成させ、その屈曲部の上端に断面円形の軸部６を形成した支持部材７と、この支持部材７に回動自在に支持される２個の分割ホルダ５ａ、５ｂから構成されている。一方の分割ホルダ５ａの一端には上記支持部材７の軸部６に回動自在に嵌合可能な筒状の溝部８を有し、中間の裏側には断面円弧状の受け部９を有し、後述する付勢手段のバネ部材１４のコイル部１５を支持し、さらに他端側には段部１０ａが形成され、段部の先端には係止受け部１１が形成されている。なお、係止受け部１１は２段溝状に形成されている。これに対し、他方の分割ホルダ５ｂの一端側には段部１０ｂが形成され、その先端には、上記一方の分割ホルダ５ａの係止受け部１１に嵌め込み状に係止する係止部１２が下段部状に形成され、他端側は斜めに屈曲して他方の建物３の表面に当接する当接片１３が形成されている。
【００２１】
上記２つの分割ホルダ５ａ、５ｂは、一方の係止部１２を他方の係止受け部１１に差し込むようにして２段溝の手前側に係止し、段部１０ａ、１０ｂが面一になるようにする。このように突合せられた２つの分割ホルダ５ａ、５ｂのうち、一方の分割ホルダ５ａ、５ｂの係止受け部１１の一片１１ａをかしめ、溶接、ビス等の固着手段により両分割ホルダ５ａ、５ｂを一体に固定して上記間隙の幅方向に連継する。なお、これにより、上記段部１０ａ、１０ｂの上にスペースが形成される。又、分割ホルダ５ｂは任意な異なる長さのサイズに予め形成して、種々の異なる間隙幅やカバー材の幅寸法に対応させることができる。
【００２２】
また、支持部材７の屈曲部の上端の軸部６に一方の分割ホルダ５ａの溝部８が回動可能に嵌合させる。この状態で、上記支持部材７の取付支承部７ａは一方の建物２の表面にビス等の固定具で固定されている。
【００２３】
上記ホルダ５には、予め付勢手段として、例えば、バネ部材１４を取り付けてある。バネ部材１４は図２に示されるように、弾性の線材で２つのコイル部１５のそれぞれから互いに反対側に延出する延長部１６、１７を形成し、一方の延長部１６の端部は屈曲して係合片１８を形成し、他方の延長部１７の端部は屈曲されて他方のコイル部１５からの延長部１７と連結部１９を介して一体になってバネ部材１４の基部を構成している。
【００２４】
上記バネ部材１４の基部はホルダ５を支持する支持部材７の支承部７ａの表面に係合し、コイル部１５はホルダ５の裏側の弧面内壁の受け部９に係合し、ホルダ５の反対側の延長部の係合片１８は、ホルダ５の係止受け部１１の２段溝の奥に装着させ係止している。
【００２５】
なお、付勢手段のバネ部材１４はホルダ５に３点支持して取りつけた状態では、バネ部材１４自体の元の状態が図２の実線図示から一点鎖線に示す角度の取付でホルダに３点支持させてバネ応力を増すように変化させるとともに、さらに、両側の延長部１６、１７の支持にてコイル部１５の軸芯に互いに大きなバネ応力をなし保持されている。図２から図１のようにホルダ５の支承部７ａ一方の建物２に固定された状態では、ホルダに支持されたバネ部材１４自体の弾力とともに固定状態に伴うバネ応力の増大をさせる機能増加をさせながら、よりホルダ５の先端の当接片１３が他方の建物３の表面に圧接されるようになっている。
【００２６】
次に、カバー材４は２個の分割カバー４ａ、４ｂから構成されている。一方の分割カバー４ａの一端は屈曲され、その先端にはウエザーストリップ２０が嵌着されている。他端には分割カバー４ａの幅方向に開口する係止受け部２１が溝状に形成されている。他方の分割カバー４ｂの一端には、上記係止受け部２１に係止可能な段部状の嵌合縁２２が形成され、他端は屈曲され、その先端にはウエザーストリップが嵌着されている。そして、一方の嵌合縁２２を他方の係止受け部２１に嵌合して斜めに係止した後に両分割カバー４ａ、４ｂが面一で圧接状態になるように回動保持する。このように突合せられた２つの分割カバー４ａ、４ｂは図１のように上記間隙の幅方向に強固に連継する。
【００２７】
上記のように両分割カバー４ａ、４ｂを一体に圧接し結合した後、各分割カバー４ａ、４ｂの背面を建物２、３間の間隙に沿って配置固定された複数のホルダ５の支承面となす当接部に当接させ、ネジ等の固定手段２３によって互いに面接状に固定すればよい。
【００２８】
上記構成において、各分割ホルダ５ａ、５ｂと分割カバー４ａ、４ｂの連継部は互いに食い違い状に、例えば一方の連継部ａは一方の建物２側の間隙Ｓに、他方の連継部ｂは他方の建物３側の間隙Ｓで互いに対設を齟齬状に連継配置されている。
【００２９】
上記構成によれば、ホルダ５は支持部材７と２つの分割ホルダ５ａ、５ｂから成り、支持部材７の軸部６を中心に付勢手段のバネ部材１４の付勢手段を介したホルダ５が回動可能になっているので、カバー材４はバネ部材１４によって傾動可能となり、付勢手段のバネ部材１４の段階的に作用する弾発力によるバネ応力に伴うホルダ５とカバー材４とは常時建物２、３の表面に圧接するように押しつけられるので、気密性がよい。また、建物２、３が温度変化や震動などによって相対的に高さが変わったり、間隙が変わったりしてもカバー材４はそれに対応して動き、することができる。
【００３０】
ホルダ５及びカバーはそれぞれ２つの分割ホルダ５ａ、５ｂ及び分割カバー４ａ、４ｂによって構成されているから、成形に際して大型の押出し成形機を必要としない。また、建物２、３間の間隙Ｓが大きいときでも、幅寸法の異なる分割ホルダ５ａ、５ｂと分割カバー４ａ、４ｂを任意選択交換し、連継することによって大きな間隔等各種間隙広さに対応することができる。
【００３１】
また、大型の押出し成形機で成形するときは、肉自体も厚くしなければ良好な成形ができないが、小型の押出し成形機で成形する場合は、肉薄でよいから、材料が節約できる。
【００３２】
さらに、各分割ホルダ５ａ、５ｂと分割カバー４ａ、４ｂの連継部は互いに食い違い状に配置されているから、連継部が取付施工にてぶつかり合うことがなく、作業が楽であるとともに、連継部の係合が確実で強く全体として変形しにくい。
【００３３】
なお、カバー材４は必ずしも分割カバー４ａ、４ｂを連継する構成である必要はない。
【００３４】
また、ホルダ５及びカバー材４はそれぞれ２つの分割ホルダ５ａ、５ｂ及び分割カバー４ａ、４ｂによって構成されることに限定されない。３つ以上の分割ホルダ又は分割カバーを連継することによって構成してもよい。
【００３５】
上記構成のエキスパンションジョイントは、必ずしもカバーの取り付け面が面一になっている建物２、３に取りつける例に限定されない。例えば、図３に示すように、間隙Ｓをおいて段違い状に相対して入隅を構成する場合にも取りつけることができる。この場合、図１のものに比べて、一方の分割ホルダ５ａは付勢手段のバネ部材１４の断面弧状の受け部９を一端側に近接して設け、先端の溝部８の向きを分割ホルダ５ａの幅方向にするとともに、バネ部材１４は、一方の基部側（図３の左上側）をくの字形に屈曲し、さらに一方の分割カバー４ａは中間部で略直角に屈曲させるようにすればよい。
【００３６】
ところで、一体構成又は分割構成のカバー材４は複数の長尺カバー材４端を長手方向に突合せて延伸状に連継してなるものなので、突合せ部（対の突合せ連継部）には隙間を有している。この隙間から雨水が進入するのを防止するため、図４に示されるように、突合せ部（対のカバー材４端）の裏側にはジョイント部材２５がまたがり状に配置されている。
【００３７】
なお、同図においてカバー材４は分割構成ではなく一体構成のものとして示されている。
【００３８】
上記ジョイント部材２５は、複数の分割ジョイント２５ａ、２５ｂを上記間隙Ｓの幅方向に連継を突合せて連継してなり、連継した状態でカバー材４の裏側の背面に沿う形状になるように形成されている。
【００３９】
一方の分割ジョイント２５ａの端部には嵌合縁２６が形成され、他方の分割ジョイント２５ｂの端部には上記嵌合縁２６に嵌合する係止受け部２７が形成されている。嵌合縁２６は分割ジョイント２５ａの端部にほぼ平行な長縁２８と短縁２９とを鋭角に形成してなるもので、長縁２８の基部には凹欠部３０が形成されている。これに対し、係止受け部２７は、他方の分割ジョイント２５ｂの端部を少し残してＵ字形に形成されている。そして、一方の分割ジョイント２５ａの嵌合縁２６を他方の分割ジョイント２５ｂの係止受け部２７に斜めに差し込んで両分割ジョイント２５ａ、２５ｂが面一になるようにすると、嵌合縁２６の短縁が係止受け部２７の先端に係止され、長縁の基部の凹欠部３０に係止受け部２７の基部の端部３６が係止して、これらは互いに弾発状態に一体的に係着する。これによって、分割ジョイント２５ａ、２５ｂはジョイント部材２５を構成するから、突合せ部に隣接した２つのカバー材４の背面に沿って配置すればよい。なお、このカバー材４の突合せ部の隙間と分割ジョイント２５ａ、２５ｂの連継部とが交差状に配置されるので、より雨仕舞、気密性等の効果を得る。
【００４０】
上記構成のエキスパンションジョイントは、必ずしもカバー材４の取り付け面が面一になっている建物２、３に取りつける例に限定されない。例えば、図５に示すように、間隙Ｓをおいて段違い状に相対して入隅を構成する場合にも取りつけることができる。この場合、図１のものに比べて、一方の分割ホルダ５ａのバネ部材１４の受け部９を一端側に近接して設け、先端の溝部８の向きを分割ホルダ５ａの幅方向にするとともに、バネ部材１４は、一方の基部側（図５の左上側）をくの字形に屈曲し、さらにカバー材４は中間部で略直角に屈曲させるようにすればよい。また、建物２、３には、止水板３１に嵌合する嵌合溝３２を備えた止水板取り付け部材３３を配置し、該止水板取り付け部材３３に形成した凸縁３４に、一方の分割ジョイント２５ａの背面側に形成した係合片３５に係合させ、降下を防ぐ、ホルダ５の支持部材７を止水板取付部材３３と一体的に建物２に固定すればよい。
【００４１】
なお、カバー材４が図１及び図２に示されたような、複数の分割カバー４ａ、４ｂを前記建物２、３間の間隙の幅方向に突合せて連継してなる分割構成のものであってもよい。この場合、分割カバー４ａ、４ｂと前記分割ジョイント２５ａ、２５ｂの連継部は互いに食い違い状に配置されているのが好ましい。
また、付勢手段は前述したバネ部材を置換えた構成の種々付勢手段を介してホルダを付勢保持できる。
【００４２】
【発明の効果】
請求項１に係る発明によれば、ホルダは複数の分割ホルダから成り、カバー材は付勢手段によって傾動可能となり、その弾発力によりホルダとカバー材とは常時建物の表面に圧接するように押しつけられるので、気密性がよい。
【００４３】
ホルダは複数の分割ホルダによって構成されているから、成形に際して大型の押出し成形機を必要としない。また、建物間の間隔が大きいときでも、連継することによって大きな間隔に対応することができる。さらに、各種サイズの対応が可能である。
【００４４】
また、大型の押出し成形機で成形するときは、ホルダ自体の肉自体も厚くしなければ良好な成形ができないが、小型の押出し成形機で成形する場合は、肉薄でよいから、材料が節約できる。
【００４５】
請求項２に係る発明によれば、上述と同様に、ホルダ及びカバー材はそれぞれ複数の分割ホルダ及び分割カバーによって構成されているから、成形に際して大型の押出し成形機を必要としない。また、建物間の間隔が大きいときでも、連継することによって大きな間隔に対応することができる。
【００４６】
また、大型の押出し成形機で成形するときは、長尺カバー材およびホルダ自体の肉自体も厚くしなければ良好な成形ができないが、小型の押出し成形機で成形する場合は、肉薄でよいから、材料が節約できる。又、輸送や施工取付時にカバー材等の持ち運びが軽減できる。
【００４７】
請求項３に係る発明によれば、分割ホルダは、係止部と係止受け部とを係止させて固定して一体的に連継する構成であるから、施工作業が楽である。
【００４８】
請求項４に係る発明によれば、分割カバーは、一方の係止部１２を他方の係止受け部に斜めに係止した後に両分割カバーが面一になるように回動して連継するので、連継部は圧接状に連継した気密性、係合性が高い。
【００４９】
請求項５に係る発明によれば、各分割ホルダと分割カバーの連継部は互いに食い違い状に配置されているから、連継部がぶつかり合うことがなく、施工作業に影響されず取付が楽であるとともに、全体として変形しにくい。
【００５０】
請求項６に係る発明によれば、一方の分割カバーの端部には側方に開口する係止受け部を形成し、他方の分割カバーの端部には上記係止受け部に嵌合する嵌合縁を形成し、該嵌合縁を上記係止受け部に一体的に嵌着させた構成であるから、施工作業が楽である。
【００５１】
請求項７に係る発明によれば、ジョイント部材が分割構成なので、成形に際して大型の設備を必要としない。また、建物間の間隔が大きいときでも、連継することによって大きな間隔に対応することができる。さらに、各種サイズの対応が可能である。
【００５２】
また、大型の押出し成形機で成形するときは、肉自体も厚くしなければ良好な成形ができないが、小型の押出し成形機で成形する場合は、肉薄でよいから、材料が節約できる。
【００５３】
請求項８に係る発明によれば、一方の分割ジョイントの端部には係止受け部を形成し、他方の分割カバーの端部には上記係止受け部に嵌合する嵌合縁を形成し、該嵌合縁を上記係止受け部に一体的に係着させる構成であるから、施工作業が楽である。
【００５４】
請求項９に係る発明によれば、分割カバーと前記分割ジョイントの連継部は互いに食い違い状に配置されているから、連継部がぶつかり合うことがなく、施工作業に影響されず取付が楽であるとともに、全体として変形しにくい。
【００５５】
請求項１０に係る発明によれば、当接部と段部を有する分割ホルダとカバー材とが一体に固定されるので、全体の強度を高める。又、分割ホルダとカバー材との当接を確実にした支持と、ビス等の強固な当接面の保持を得ると共に段部の連継をより確実にし、カバー材に不掛状態とする。
【００５６】
請求項１１に係る発明によれば、ホルダに付勢手段を３点支持しているので、付勢手段自体のバネ応力を変形させつつ、バネ応力が３点に加わり、バネ付勢によるバネ応力変動対応が向上する。
【００５７】
【図面の簡単な説明】
【図１】エキスパンションジョイントの断面図
【図２】同上に用いたホルダとバネ部材の斜視図
【図３】エキスパンションジョイントの他の例の断面図
【図４】エキスパンションジョイントのさらに他の例の断面図
【図５】エキスパンションジョイントのさらに他の例の断面図
【符号の説明】
１　エキスパンションジョイント
Ｓ　間隙
２、３　建物
４　カバー材
４ａ、４ｂ　分割カバー
５　ホルダ
５ａ、５ｂ　分割ホルダ
２５　ジョイント部材
２５ａ、２５ｂ　分割ジョイント
【図１】
2004092187.tif 000003
【図２】
2004092187.tif 000004
【図３】
2004092187.tif 000005
【図４】
2004092187.tif 000006
【図５】
2004092187.tif 000007